(57)【要約】【課題】本発明は、トリガー式ポンプディスペンサーにおいて、部品数が極力少なく組み付けが容易なポンプディスペンサーを提供すること。【解決手段】容器本体の口部に取り付けられるキャップ４と、該キャップに係合されシリンダー部１１とカバー部材１２とを有するベース本体１と、該シリンダー部内を摺動可能なピストン部２３と、該ピストン部２３を上下に摺動させるトリガー構造体３とを備え、トリガー構造体３の回動によりピストン部２３を上下に摺動させシリンダー内の液体をノズル部２１から外部に噴射するトリガー式ポンプディスペンサーにおいて、前記カバー部材１２がベース本体１の後端にヒンジ結合されているトリガー式ポンプディスペンサー。【選択図】図３
2008037440.tif 000002
【特許請求の範囲】
【請求項１】
容器本体の口部に取り付けられるキャップと、
該キャップに係合されシリンダー部とカバー部材とを有するベース本体と、
該シリンダー部内を摺動可能なピストン部と、
該ピストン部を上下に摺動させるトリガー構造体と
を備え、トリガー構造体の回動によりピストン部を上下に摺動させシリンダー内の液体をノズル部から外部に噴射するトリガー式ポンプディスペンサーにおいて、
前記カバー部材がベース本体の後端にヒンジ結合されていることを特徴とするトリガー式ポンプディスペンサー。
【請求項２】
前記ベース本体がシリンダー部の上部から拡大する拡張部を有し、カバー部材が、該拡張部の後端にヒンジ結合されていることを特徴とする請求項１に記載のトリガー式ポンプディスペンサー。
【請求項３】
前記トリガー構造体がトリガーとそれより延長される二股部とバネ部とよりなり、二股部がピストン部を挟み込むように配設されていることを特徴とする請求項１に記載のトリガー式ポンプディスペンサー。
【請求項４】
前記トリガーとバネ部との近接によりトリガーに弾発力を生ずるものであることを特徴とする請求項３に記載のトリガー式ポンプディスペンサー。
【請求項５】
前記トリガーはその端部をベース本体に第一枢着部で枢着され中間位置をピストン部材に第二枢着部で枢着されているおり、第一枢着部と第二枢着部の距離と、第一枢着部の位置からトリガー構造体のトリガー先端までの距離との比が、１：４以上であることを特徴とする請求項１に記載のトリガー式ポンプディスペンサー。
【請求項６】
前記ベース本体の拡張部に、トリガーを停止する位置にまで回動可能なトリガーロックを備えていることを特徴とする請求項１に記載のトリガー式ポンプディスペンサー。
【請求項７】
前記ノズル部が遮断を含む４通りの液噴射状態に切り替え可能であることを特徴とする請求項１に記載のトリガー式ポンプディスペンサー。
【請求項８】
ノズル部が前記カバー部材に固定され、前記ピストン部材は、ノズル部と該ノズル部とピストン部とを連絡する屈曲変形可能な連結部を備えており、
前記ピストンの上下移動を連結部の屈曲変形により積極的に吸収するものであることを特徴とする請求項１に記載のトリガー式ポンプディスペンサー。
【発明の詳細な説明】
【技術分野】
【０００１】
本発明は、組み付けが極めて容易なトリガー式ポンプディスペンサーに関する。
より詳しくは前記カバー部材とベース本体或いはトリガーとバネ体の一体化等により部品点数が少なく且つ組み付けが容易であるトリガー式ポンプディスペンサーに関する。
【０００２】
従来、所定の部分に薬液等を噴射する手段としてトリガー式ポンプディスペンサーが使われている。
このポンプディスペンサーは、トリガーの引き込み操作をするだけでピストンを動かし、容器と通じるシリンダー内の液を簡単にノズルから噴射することができる利点があり有用されている。
【０００３】
このようなトリガーを有するトリガー式ポンプディスペンサー（例えば、特許文献１及び特許文献２参照）では、カバー部材、バネ体、トリガー、ベース体、シリンダー、ピストン、等の多くの部品が必要である。
そのため、これら部品を組み付けるため工数が多くなることの他、それによって故障が増えることが問題となっている。
このような問題点を解決するために極力部品数が少ない構造のトリガー式ポンプディスペンサーが要望されている（特許文献１〜４）。
【０００４】
【特許文献１】特開２００２−１８３３１号公報
【特許文献２】特開平１０−４３６４８号公報
【特許文献３】特開平１１−３０９３９１号公報
【特許文献４】特開平１０−５７８５３号公報
【発明の開示】
【発明が解決しようとする課題】
【０００５】
本発明は、かかる背景技術をもとになされたもので、上記の技術的問題点を克服するためになされたものである。
すなわち、本発明は、トリガー式ポンプディスペンサーにおいて、部品数が極力少なく組み付けが容易なポンプディスペンサーを提供することを目的とする。
【課題を解決するための手段】
【０００６】
かくして、本発明者は、このような課題背景に対して鋭意研究を重ねた結果、少なくともベース部とカバー部材とを一体化することにより組み付けが容易となることを見出し、この知見に基づいて本発明を完成させたものである。
【０００７】
すなわち、本発明は、（１）、容器本体の口部に取り付けられるキャップと、該キャップに係合されシリンダー部とカバー部材とを有するベース本体と、該シリンダー部内を摺動可能なピストン部と、該ピストン部を上下に摺動させるトリガー構造体とを備え、トリガー構造体の回動によりピストン部を上下に摺動させシリンダー内の液体をノズル部から外部に噴射するトリガー式ポンプディスペンサーにおいて、前記カバー部材がベース本体の後端にヒンジ結合されているトリガー式ポンプディスペンサーに存する。
【０００８】
また、本発明は、（２）、前記ベース本体がシリンダー部の上部から拡大する拡張部を有し、カバー部材が、該拡張部の後端にヒンジ結合されている上記（１）記載のトリガー式ポンプディスペンサーに存する。
【０００９】
また、本発明は、（３）、前記トリガー構造体がトリガーとそれより延長される二股部とバネ部とよりなり、二股部がピストン部を挟み込むように配設されている上記（１）に記載のトリガー式ポンプディスペンサーに存する。
【００１０】
また、本発明は、（４）、前記トリガーとバネ部との近接によりトリガーに弾発力（復帰力）を生ずるものである上記（３）に記載のトリガー式ポンプディスペンサーに存する。
【００１１】
また、本発明は、（５）、前記トリガーはその端部をベース本体に第一枢着部で枢着され中間位置をピストン部材に第二枢着部で枢着されているおり、第一枢着部と第二枢着部の距離と、第一枢着部の位置からトリガー構造体のトリガー先端までの距離との比が、１：４以上である上記（１）に記載のトリガー式ポンプディスペンサーに存する。
【００１２】
また、本発明は、（６）、前記ベース本体の拡張部に、トリガーを停止する位置にまで回動可能なトリガーロックを備えている上記（１）に記載のトリガー式ポンプディスペンサーに存する。
【００１３】
また、本発明は、（７）、前記ノズル部が遮断を含む４通りの液噴射状態に切り替え可能である上記（１）に記載のトリガー式ポンプディスペンサーに存する。
【００１４】
また、本発明は、（８）、ノズル部が前記カバー部材に固定され、前記ピストン部材は、ノズル部と該ノズル部とピストン部とを連絡する屈曲変形可能な連結部を備えており、前記ピストンの上下移動を連結部の屈曲変形により積極的に吸収するものである上記（１）に記載のトリガー式ポンプディスペンサーに存する。
【００１５】
なお、本発明の目的に添ったものであれば、上記（１）から（８）を適宜組み合わせた構成も採用可能である。
【発明の効果】
【００１６】
本発明のトリガー式ポンプディスペンサーは、カバー部材がベース本体の後端にヒンジ結合されていることにより、組み付けが容易である。
また、ベース本体がシリンダー部の上部から拡大する拡張部を有し、カバー部材が、該拡張部の後端にヒンジ結合されていることにより、トリガー構造体のベース本体に対する枢着部の位置を後方にできる。
また、トリガー構造体がトリガーとそれより延長される二股部とバネ部とよりなり、二股部がピストン部を挟み込むように配設されていることにより、組み付けが容易となる他、故障が少なくなる。
また、トリガーとバネ部との近接によりトリガーに反発力（復帰力）を発生させることにより効率良く復帰力を得られる。
しかもピストンの上下移動を連結部の屈曲変形により吸収する構造であるので、余分
な部品を必要とせず構造が簡単であり且つ故障も少ない。
【００１７】
また、第一枢着部と第二枢着部の距離と、第一枢着部の位置からトリガー構造体のトリガー先端までの距離との比が、１：４以上であることにより、トリガーを容易に引き込み易くなる。
また、ベース本体の拡張部に、トリガー構造体を停止する位置にまで回動可能なトリガーロックを備えていることにより、不用意にトリガーを引き込むことが無くなる。
また、ノズル部が遮断を含む４通りの液噴射状態に切り替え可能であることにより、液の噴射態様の選択の自由度が増える。
【発明を実施するための最良の形態】
【００１８】
以下、本発明を実施するための最良の形態を図面に基づいて説明する。
図１及び図２は、本発明の一実施形態に係るトリガー式ポンプディスペンサーを示す図であり、それぞれトリガー３１を引く前と引いた後の状態を示している。
トリガー式ポンプディスペンサーは、図２に示すようにトリガー構造体３の一部であるトリガー３１を引き込むことによりピストン部２３を下方に摺動させシリンダー内の液体をノズル部２１から噴射するものである。
このトリガー式ポンプディスペンサーは、まず容器本体７に直接取り付けるキャップ４、ベース本体１、トリガー構造体３及びピストン構造体２を備えており、これらにより構成される通路にはファーストバルブＦＶ、セカンドバルブＳＶが備わっている。
これらの部品は合成樹脂により主として射出成形により製造される。
例えば、キャップ４やベース本体１は、ＰＰ樹脂、トリガー構造体３はＰＯＭ樹脂、またピストン構造体２はＬＬＤＰＥ樹脂がそれぞれ材質として使用されている。
【００１９】
キャップ４は、容器本体７の口部に螺合等により取り外し自在である。
キャップ４には、ベース本体１が取り付けられている。
キャップ４には、テーパ部が形成されているために、ベース本体１の下端をキャップ４の孔に強く押し入れることでワンタッチで簡単にキャップ４に固定できる。
【００２０】
ベース本体１は、後述するピストン部２３が収納可能な中空円筒状のシリンダー部１１と、該シリンダー部１１にヒンジ結合されたカバー部材１２を備えている。
そしてシリンダー部１１はそれより外方に延長する部分、すなわち拡張部１１Ａを備えており、カバー部材は、該拡張部の後端にヒンジ結合されている。
また、拡張部１１Ａの後方はポンプディスペンサーを握った時、親指の付け根が、ここに当接しその重量を支えることができる。
【００２１】
図３は、ベース本体を示す図であり、（Ａ）は、平面図、（Ｂ）はカバー部材を開いた状態の側面図、（Ｃ）は、カバー部材を閉じた状態の側面図である。
カバー部材は、ヒンジ部Ｈを支点として回動自在であり、（Ｂ）の状態から矢印の方向に回動させると、ワンタッチで（Ｃ）の状態となる。
この状態では、ベース本体１に設けられた上向きの係止突起１１Ｄがカバー部材１２の受入れ穴１２Ｂに挿入係合されており、一旦このようにベース本体１に係止されたカバー部材１２は確実に固定される。
このように、カバー部材１２とシリンダー部１１とが一体化されているので組み付けが容易である。
【００２２】
また、拡張部１１Ａの前方には、トリガー３１の移動をロックするためのトリガーロック５が備わっている。
トリガーロック５は阻止片５１を備えており、トリガー３１を停止する位置にまで回動可能である。
この停止位置で阻止片５１がトリガー３１の動きを阻止する。
【００２３】
図４は、トリガーロックを説明する図であり（Ａ）は平面図及び（Ｂ）は正面図を示す。
また、図５は図４の状態からトリガーの停止位置にトリガーロックを回動させた状態を説明する図であり、（Ａ）は平面図及び（Ｂ）は正面図を示す。
トリガーロック５の係止突起５２が、ベース本体１から立ち上がった円筒部１１Ｂに係合されて取り付けられる。
【００２４】
ベース本体１の一部であるシリンダー部１１の下には、それより細径の筒部１１Ｃが形成されており、この筒部１１Ｃには、ファーストバルブＦＶ（バネ付き弁）が備わっている。
容器内の液体は、このファーストバルブＦＶを通過してシリンダー部１１内に吸い上げられる。
また、筒部１１Ｂの下方には容器底の液体を吸い上げてファーストバルブＦＶ（バネ付き弁）に導入する導入チューブが装着されている。
シリンダー部１１内には上部に細径部２３Ａを有する２段中空円筒状のピストン部２３が摺動可能に備えられており、該ピストン部２３はピストン構造体２の一部である。
【００２５】
図６は、ピストン構造体を示す側面図である。
ピストン構造体２は先端にノズル部２１と、該ノズル部２１とピストン部２３との間を連結する連結部２２を一体に有している。
ノズル部２１は前述したカバー部材１２の前方で固定されており、ピストン部２３の移動に伴って動くことが拘束されている。
すなわち、ノズル部２１の上端の突起片２１Ａがカバー部材１２の係合穴１２Ａと係合することでノズル部２１は固定され、上下移動しない。
ノズル部２１の中には、セカンドバルブＳＶ（バネ付き弁）が備わっており、容器内の液体は最終的にはこのセカンドバルブＳＶを通過して外方に吐出される。
【００２６】
またノズル部２１は、ＳＰＲＡＹ、ＯＦＦ、ＪＥＴ，ＮＡＲＲＯＷの４通りの機能を有する。
すなわち、ノズル部２１の先端に外挿されているノズルＮを回転することにより遮断を含む４通りの液体噴射状態に切り替え可能である（４ウェイノズル）。
また、前述したピストン構造体２の一部である連結部２２は屈曲変形が可能となっており、後で詳しく述べるように、ピストンの上下移動を屈曲変形により積極的に吸収するという重要な役割を果たす。
【００２７】
一方、トリガー構造体３はトリガー３１から延長する二股部３２とバネ部３３とを有し、二股部３２はベース本体１とピストン部２３に取り付けられており、またバネ部３３はベース本体１に保持固定されている。
図７は、トリガー構造体を示す側面図である。
具体的にはトリガー構造体３はその二股部３２の端部及び中間位置をそれぞれベース本体１及びピストン部２３に枢着されている。
すなわち、トリガー構造体３の二股部３２の先端には円突起３２Ｂが形成されており、この円突起３２Ｂがベース本体１の立壁部に形成された穴１１Ａ１に嵌り込むことで第一枢着部Ｐ１となっている。
【００２８】
また、ピストン部２３の上部である細径部２３Ａの側壁に一対の円突起２３Ａ１が形成されており、該細径部２３Ａを挟み込むようにしてトリガー構造体３の二股部３２が配設されている。
そして、円突起２３Ａ１が二股部３２の中間位置に形成されている円穴３２Ａに嵌り込むことで第二枢着部Ｐ２となっている。
ここで第一枢着部Ｐ１と第二枢着部Ｐ２の距離Ｌ１と、第一枢着部Ｐ１の位置からトリガー３１先端までの距離Ｌ２との比（すなわち「テコ比」）は、１：４以上であることが好ましい。
【００２９】
因みに、従来のノズルＮが固定するトリガー式ポンプディスペンサーでは、トリガーの動きを揺動レバーを介してピストンに伝える構造であるために、このような「テコ比」とすることは、その構造上難しかった。
このテコ比を１：４以上にできたのは、本発明のような第二枢着部Ｐ２をピストンの側面に設置することで第一枢着部Ｐ１との間を直線化でき短縮できたからである。
なお、ここで「テコ比」をトリガー３１先端の位置を基準に示したのは、トリガー３１の長さが設定されると、人指し指及び中指の引っ掛ける位置は自ずと決まる傾向にあるからである。
【００３０】
また、トリガー構造体３のバネ部３３は、トリガー３１を握って第一枢着部Ｐ１を起点として回動させた場合、両者の距離が縮まり反対方向に弾発力を発揮する。
すなわち、トリガー構造体３のバネ部３３の先端はベース本体１の段部に嵌って保持固定されており、トリガー３１を握って引き込むとトリガー３１とバネ部３３との成す角度が小さくなり弾発が作用し、握った指を放つとトリガー３１は元の位置に戻る。
【００３１】
ところで、ピストン部２３には、シリンダー部１１内を封するための上方の第一封止弁２３Ｂ１と該第一封止弁２３Ｂ１より下方にある第二封止弁２３Ｂ２とが形成されている。
このピストン部２３の第一封止弁２３Ｂ１と第二封止弁２３Ｂ２との働きにより、後述するように、通気穴Ｓ２を介して外気Ｐと容器本体内とを相互に連通状態及び非連通状態に切り換えることができる。
【００３２】
また、シリンダー部１１の壁には、通気穴Ｓ２が設けられ、矢印のように容器本体内へ外気Ｐを導入するための通気流路が形成される。
シリンダー部１１にピストン部２３の第一封止弁２３Ｂ１が圧接摺動することでこの通気流路が遮断又は開放される。
【００３３】
ところで、容器本体７内の液体を噴射する前の状態において、シリンダー部１１の通気穴Ｓ２の高さ位置は、ピストン部２３の第一封止弁２３Ｂ１と第二封止弁２３Ｂ２との間である。
すなわち、導入ホースによって吸い上げられてからシリンダー部１１内に入った液体が漏れるのを防止するために、第二封止弁２３Ｂ２が形成され、通気穴Ｓ２を介して外気Ｐが連通するのを防ぐために、第一封止弁２３Ｂ１が形成されている。
そして、この状態からトリガー３１を引くと、シリンダー部１１内の液体はノズル部２１から噴射される。
【００３４】
この場合、トリガー構造体３（詳しくは二股部３２）によってピストン部２３が押し下げられ、上方にある第一封止弁２３Ｂ１がシリンダー部１１の内壁を摺動させられながら通気穴Ｓ２より下方に移動する。
外気Ｐがシリンダー部１１の内側に侵入し、通気穴Ｓ２を介して、容器本体７内に入り、負圧は解消される。
【００３５】
この状態から元の状態に戻すべくトリガー構造体３による押圧を解除すると、ピストン部２３はバネ部３３の付勢力によって上昇し、容器本体７内の液体が導入ホースを介して上昇しシリンダー部１１内（当然、ピストン部内も）の内側空間に充填される。
最後に第一封止弁２３Ｂ１が通気穴Ｓ２の上方に移動し外気Ｐの流れが遮断され、元の状態に戻ることになる。
【００３６】
ところで図８は、いままで述べたポンプディスペンサーにおいてノズル部からの液漏れを防止する手段を備えたものを示す。
シリンダー部１１の底には棒状の閉鎖バルブ６が立設されていてピストン部２３の細径部２３Ａ内にまで入り込んでいる。
シリンダー部１１が上死点（トリガー３１を引き込む前の位置に相当）にある時は、閉鎖バルブ６の先の膨張部６１が細径部２３Ａの内壁に圧接されて液体の通路が閉鎖される。
そのためノズル部２１が開ポジションとなっている場合、この状態で容器の内圧が高まりファーストバルブＦＶを通して液体が上がってきても、ノズル部２１に逃げない効果がある。
【００３７】
また、シリンダー部１１内壁の下部に液体逃がし用の縦溝Ｓ１が形成されている。
これは、従来は縦溝Ｓ１がないのでシリンダー部１１が下死点（トリガー３１を引き切った位置に相当）に近づくと圧力が弱まり噴射口Ｎ１からの液体の勢いが徐々に下がって、いわゆる「切れ」が悪くなる。
しかし本発明のように縦溝Ｓ１があると、この縦溝Ｓ１を通じて液体が逃げるのでシリンダー内の圧力が一挙に低下して（すなわち圧がシリンダー壁に形成された通気穴Ｓ２から逃げる）液体が止まるのである。
すなわち「切れ」が良くなるのである。
【００３８】
ここで、連結部２２の機能を示すためにピストン構造体２の作用を詳しく述べる。
いま、所定の場所に液体を噴射するためにトリガー構造体３のトリガー３１を引き込むと、トリガー構造体３は第一枢着部Ｐ１を基準に回動する。
トリガー構造体３は二股部３２にてピストン部２３に枢着されている（第二枢着部Ｐ２）ので、トリガー構造体３の回動によりピストン部２３は下方に押し下げられる。
ピストン部２３の下方移動によりシリンダー部１１内の液体は圧縮され連結部２２を通ってノズル部２１に達し噴射口Ｎ１から外に噴射される。
この時、ピストン部２３の押し下げによりそれと一体のノズル部２１も引き下がろうとするが、前述したようにノズル部２１はカバー部材１２に固定されているので下がらない。
ところがここで連結部２２が屈曲変形しピストンの移動を積極的に吸収するのである。
【００３９】
このように本発明のトリガー式のポンプディスペンサーは連結部２２の働きによりノズル部２１が動かないので、液体噴射の際、噴射口Ｎ１の上下移動が全くない状態で対象となる位置に正確に液体を噴射することができる。
また、ノズル部２１がピストン部２３の動きに影響されないようにするための装置部品を余分に必要としないため構造が簡単となる。
カバー部材がベース本体の後端にヒンジ結合されていることや、トリガー構造体がトリガーとそれより延長される二股部とバネ部とよりなり一体部品であることとも含めて故障率が低下し、組み付け工数も少ない。
【００４０】
以上、本発明を説明してきたが、本発明は上述した実施形態にのみ限定されるものではなく、その本質を逸脱しない範囲で、他の種々の変形が可能であることはいうまでもない。
例えば、トリガー構造体３のバネ部３３先端のベース本体１への取り付けは嵌合、挿入、支持等の適宜の手段を採用可能である。
また、トリガー構造体３におけるバネ部３３の弾発性を調整するためにその材質を変えることも当然可能である。
【図面の簡単な説明】
【００４１】
【図１】図１は、本発明の一実施形態に係るトリガー式ポンプディスペンサーを示す説明図である。
【図２】図２は、本発明の一実施形態に係るトリガー式ポンプディスペンサーを示す説明図である。
【図３】図３は、ベース本体を示す図であり、（Ａ）は、平面図、（Ｂ）はカバー部材を開いた状態の側面図、（Ｃ）は、カバー部材を閉じた状態の側面図である。本体との連結状態を示す図である。
【図４】図４は、トリガーロックを説明する図であり（Ａ）は平面図及び（Ｂ）は正面図を示す。
【図５】図５は、図４の状態からトリガーの停止位置にトリガーロックを回動させた状態を説明する図であり、（Ａ）は平面図及び（Ｂ）は正面図を示す。
【図６】図６は、本発明のトリガー式ポンプディスペンサーにおけるピストン構造体を示す説明図である。
【図７】図７は、本発明のトリガー式ポンプディスペンサーにおけるトリガー構造体を示す説明図である。
【図８】図８は、別の実施の形態であるノズル部からの液漏れを防止する手段を備えたトリガー式ポンプディスペンサーを示す。
【符号の説明】
【００４２】
１…ベース本体
１１…シリンダー部
１１Ａ…拡張部
１１Ａ１…穴
１１Ｂ …円筒部  
１１Ｃ…筒部   
１１Ｄ… 係止突起
１２…カバー部材
１２Ａ…係合穴    
１２Ｂ…受け入れ穴
２…ピストン構造体
２１…ノズル部
２１Ａ…突起片
２２…連結部
２３…ピストン部
２３Ａ…細径部    
２３Ａ１…円突起
２３Ａ２…円突起
２３Ｂ１…第一封止弁
２３Ｂ２…第二封止弁
３…トリガー構造体
３１…トリガー
３２…二股部   
３２Ａ… 円穴
３２Ｂ…円突起
３３…バネ部
４…キャップ
５…トリガーロック
５１…阻止片
５２…係止突起
６…閉鎖バルブ
６１…膨張部
７…容器本体
ＦＶ…ファーストバルブ
ＳＶ…セカンドバルブ
Ｎ…ノズル
Ｎ１…噴射口
Ｓ１…縦溝
Ｓ２…通気穴
Ｐ…外気
Ｐ１…第一枢着部  
Ｐ２…第二枢着部  
Ｈ…ヒンジ部
【図１】
2008037440.tif 000003
【図２】
2008037440.tif 000004
【図３】
2008037440.tif 000005
【図４】
2008037440.tif 000006
【図５】
2008037440.tif 000007
【図６】
2008037440.tif 000008
【図７】
2008037440.tif 000009
【図８】
2008037440.tif 000010